【事件の表示】
　平成１０年特許願第２００８７５号「鶏卵収納トレー」拒絶査定に対する審判事件［平成１２年４月４日出願公開、特開２０００−９５２８４］について、次のとおり審決する。
【結　論】
　本件審判の請求は、成り立たない。
【理　由】
＜1＞手続の経緯と本願発明　
　本願は、平成10年7月15日の出願であって、その請求項1に係る発明は、平成11年5月6日付け手続補正書により補正された特許請求の範囲の請求項1に記載された次のとおりのものと認められる。　
「【請求項１】　セラミックス系抗菌剤を練り込んだポリエチレンテレフタレート樹脂シートによって平面視四角形に成形され、且つ隔壁によって個々に区分けされた状態で複数列にわたって整列配置された多数の鶏卵収納凹部と、この鶏卵収納凹部を区分けする隔壁の交差部分に形成された台形凸部とを備え、隣接する２つの側縁部でその側縁全長にわたって各収納凹部の半ピッチ分の凹凸部が設けられ、鶏卵収納凹部の底面を下段トレーの台形凸部の上面に載せることによって鶏卵を収納した状態で複数段に積み重ねて使用することのできるように形成されている鶏卵収納トレー」（以下、「本願発明」という。なお、符号は省略した）　
　
＜2＞引用例記載の発明　
　これに対して、原査定の拒絶の理由には、本出願前に頒布された次の刊行物（周知例を含む）が引用されている。　
引用例1：実用新案登録第3041572号公報
引用例2：特開平8-310577号公報　
引用例3：特開平9-136973号公報
引用例4：実開昭57-149275号公報（周知例1）　
引用例5：実公昭49-21449号公報（周知例2）　
　                                    　
上記引用例1〜5には、次のとおり記載されている。　
＜引用例1＞実用新案登録第3041572号公報
ａ：　
「【０００１】【考案の属する技術分野】本考案は主として鶏卵類を収容して輸送するのに供する鶏卵類包装容器に関するものである。」　
ｂ：　
「【０００５】【実施例】先ず、Ａは、本考案の鶏卵類包装容器であるトレイであって、該トレイＡは古紙を原料として次のように構成されている。即ち四角形状に配した４個の角錐台筒部１を隣接同士が一体で内部に椀形凹陥部２を形成するようにしてこれを縦横方向にそれぞれ格子縞状に多数配設し、下端周鍔部３を設けた構造で各角錐台筒部１および椀形凹陥部２がそれぞれ嵌合して多数枚積み重ねできる構造となっている。」　
ｃ：　
図1の平面図において、長方形の鶏卵類包装容器は全体が長方形であり、「四角形状に配した４個の角錐台筒部１を隣接同士が一体で内部に椀形凹陥部２を形成するようにしてこれを縦横方向にそれぞれ格子縞状に多数配設」（記載ｂ）しているが、上記長方形の容器の左縦辺と下横辺に沿っては略完全な椀形凹陥部2が縦横に並んでいるが、上横辺と右縦辺に沿っては半分の椀形凹陥部2が縦横に並んで形成されている構成であることが分かる。　
　また、複数の角錐台筒部1の間は、図1では直線で結ばれているが、図2〜4を参照すると、該直線は、該椀形凹陥部と上下左右に隣接する椀形凹陥部との間を仕切る隔壁であり、ちょうど、隔壁の交差部分に角錐台筒部が形成されていることが分かる。　
＜引用例2＞特開平8-310577号公報　
ｄ：　
「【特許請求の範囲】【請求項１】　基材の少なくとも一面に、非晶質リン酸カルシウムと、揮発性を有する有機系抗菌剤をサイクロデキストリンに包接させた包接化合物とを含む抗菌性粒子が樹脂フィルムに保持されるとともに、該抗菌性粒子の平均粒子径が該樹脂フィルムの平均厚さより大きいものとされた抗菌性樹脂フィルムが積層されている積層シートを、前記抗菌性樹脂フィルム面が内面となるようにして成形してなることを特徴とする抗菌性鶏卵用容器。　
【発明の詳細な説明】　
【０００１】【産業上の利用分野】本発明は抗菌性鶏卵用容器に関し、特に、鶏卵に付着している食中毒菌のような有害菌の繁殖抑制に有効であり、同時に、容器にダニのような害虫類が接近しないようにした抗菌性鶏卵用容器に関する。」　
　
＜引用例3＞特開平9-136973号公報　
ｅ：　
「【００１１】【実施例】
　以下に本発明実施例を図に基づき説明すれば、図１は本発明抗菌性フィルム材１の断面説明図であって、該抗菌性フィルム１を形成する素材については具体的な使用途に合せて適宜に選択されるもので、加工食品類の簡易包装袋として用いるものではポリエチレン樹脂やポリプロピレン樹脂或いはポリエステル樹脂等が挙げられ、また野菜類や果実類或いは生卵等の包装パックの如く一旦厚いフィルム材で形成後真空成形法や圧縮成形法で形成するものには、ポリ塩化ビニル樹脂やポリスチレン樹脂等が挙げられ、更に重包装袋や建築内装材或いは生活雑貨等に用いるものには軟質ポリエチレン樹脂や軟質ポリ塩化ビニル樹脂等が用いられる。」　
ｆ：　
「【００２６】【発明の効果】本発明は上述の如くフィルム材に配合され若しくは添着材により塗着或いは印刷されるセラミックス微粉体が炭化珪素或いは酸化珪素４０乃至６０％重量及び酸化アルミナ２０乃至３０％重量の割合で組成されてなるから、細菌類や黴菌類を形成する菌体の水分や該菌類の繁殖に必須の環境水分の水分子を共振励起させる波長１乃至３μｍ並びに５乃至７μｍの領域の近赤外線や遠赤外線領域の電磁波が放射され、これら水分子が共振励起されるため菌体の生理機能の阻害並びにその繁殖も著るしく抑制される。」　　
＜引用例4＞実開昭57-149275号公報（周知例1）　
ｇ：　
「2.実用新案登録請求の範囲　
（1）合成樹脂製薄板を一体的に成形した略矩形状の鶏卵用仕切体であって、該仕切体にはその四周辺に適宜巾の周辺縁部を残してその内側に鶏卵の下半部を収容すべき収容室を適宜一定のピッチで縦横に多数列下向き膨出成形し、この仕切体には相隣接する前記4つの収容室で囲まれる箇所に支柱部を前記収容室と同一ピッチで縦横列に上向き膨出成形し、該各支柱部下面側を鶏卵の上半部が収容できる空間に形成し、各仕切体における各収容室下端部と各支柱部の上端部とには下段の仕切体に対し上段の仕切体を平面視180度反転させて積み重ねた場合に互に嵌り合う嵌合部をそれぞれ形成する一方、前記各仕切体を180度反転して積み重ねた場合に前記各周辺縁部の外端が略垂直線上に揃うように形成し、前記周辺縁部には仕切体の平面視において非対称位置に指掛け用切欠部を設けてなる合成樹脂製鶏卵用仕切体。」　
ｈ：　
「図面の簡単な説明　
　図面は本考案の一実施例を示し、第1図は仕切体を段ボール箱内に収納した状態を示す斜視図、第2図は仕切体の平面図、第3図は第1図の3-3（「3-3」の数字は実際にはローマ数字の大文字で記載されている）線視拡大断面図である。　
（1）・・・仕切体、（2）・・・段ボール箱、（3）・・・卵、（4）（4）（5）（5）・・周辺縁部、（7）収容室、（10）支柱部、（8）（11）・・・嵌合部、（14）（14）・・・切欠部。」
ｉ：　  
記載ｈの図面の簡単な説明を参照して図面を見ると、第2図と第3図には次の構成が記載されていることが分かる。　
第2図の仕切体（1）の平面図において、仕切体（1）は略矩形状であって、その四周辺に細巾の周辺縁部（4）（4）（5）（5）を残してその内側に、平面視円形の収容室（7）が適宜一定のピッチで縦横に多数列並び、相隣接する前記4つの収容室（7）で囲まれる箇所には平面視小円形の支柱部（10）が前記収容室（7）と同一ピッチで縦横列に並んでいることが分かる。　
そして、略矩形状の仕切体（1）の右側の周辺縁部（5）と下側の周辺縁部（4）に沿って、収容室（7）を略半分にした大きさの略半円形が並んでいる。
また、支柱部（10）の上下左右には平面視直線状に見える隔壁が延びて支柱部（10）（10）間が連結されていて、隣接する収容室（7）（7）間は該隔壁で区分けされている構成であることが分かる。第3図の断面図においても支柱部（10）（10）間を連結する隔壁が見える。
第3図の断面図においては、2枚の仕切体（1）が上下に2段に積まれているが、1段目と2段目は、収容室（7）と支柱部（10）が半分づつずれた位置関係になっていて、1段目の支柱部（10）の上の突部である嵌合部（11）に、2段目の収容室（7）の底面に形成した凹部である嵌合部（8）が嵌って積み重ねられている。そして、両側の収容室（7）は、1段目の右側と2段目の左側は半分に切られた形状に形成されているので、1段目と2段目の両側縁は，上下の仕切体の縁を結んで一点鎖線の直線が描かれているように、略一直線状に揃っている。また、点線で卵（3）が描かれているが、卵の下半分を収容室（7）内に、上半分を支柱部（11）の下側に位置している。
＜引用例5＞実公昭49-21449号公報（周知例2）　
ｊ：　
「実用新案登録請求の範囲　
平面長四角の周辺には同一長の短い縁部1，1’を対向辺に、他の対向辺に同一長の長い縁部2，2’をそれぞれリブ3を形成して囲繞し、これら縁部1，2，1’および2’に囲繞される内部には平面においてごばん目状に配設する鶏卵収容の凹部4を、縁部1，1’にそった縦方向より縁部2，2’にそった横方向の数が多くなるようにして多数形設し、各凹部4の底面には内方へ突出する嵌合支持面5を形成し、隣接する4つの凹部4の中間位置には上方へ突出した嵌合突出支持部6を有する支持部7を形成し、前記4角辺のうち隣接する2辺の縁部1’、2’にそって下方へ突出する下向支柱部8を、他の隣接する2辺の縁部1，2にそっては上方へ突出する上向支柱部9をそれぞれ形成し、対向する短い縁部1，1’にはそれぞれ形状の異った把持部10，10’を、両把持部10，10’の対向位置を縁部1，1’にそって相互に若干ずらして形成したことを特徴とする合成樹脂製鶏卵容器。」　
ｋ：　
「このようにして鶏卵を収納した容器を、ダンボール箱に積み重ねて入れる場合には、容器の上に重ねる容器を、下方の容器の把持部10の上方に上方の容器の把持部10’を合わせ、下方の容器の把持部10’の上方に上方の容器の把持部10を合わせて載置すると、下方の容器の内方支柱部7の嵌合突出支持部6と、上方の容器の凹部4下部の嵌合支持面5とが嵌合状に接合し、下方の容器の上向支柱部9上面と上方の容器の下向支柱部8下面とが接合して、以下、じゅんじ積み重ねる容器を、把持部10と10’とを交互に向きをかえて積み重ねると、前記の様に上下の容器を接合して積み重ねることができる。」（第2頁第3欄第39行〜第4欄第7行）　
ｌ：
第1図は本考案の合成樹脂製鶏卵容器の一部を破断した状態の平面図であるが、支持部7の上下左右には平面視直線状に見える隔壁が延びて支持部7、7間が連結されていて、隣接する鶏卵収容の凹部4、4間は該隔壁で区分けされている構成であることが分かる。第4図の断面図においても支持部7、7間を連結する隔壁が見える。
また、第1図において、略長方形の容器の上横辺と右縦辺にそっては、凹部4の略半分に当たる半月形の下向支柱部8が並んでおり、左縦辺と下横辺にそっては、支柱部7の略半分に当たる半月形の上向支柱部9が並んでいて、左右縦辺の中央部には把持部10，10’が形成されていることが分かる。　
第2図は第1図のＡ−Ａ線側から見た側面図であるが。実線で描かれた該側面図の上部に点線で描かれた2段目に積み重ねた状態の側面図が描かれている。1段目において鶏卵収容凹部4に対して上向支柱部9の位置は半分づつずれ、さらに、1段目の上向支柱部9に対して2段目の鶏卵収容凹部4は半分づつずれているが、1段目の右側には半月形の下向支柱部8が、左側には半月形の上向支柱部9が2段目の下向支柱部8に嵌合しているので、1段目と2段目の両端は略垂直状に揃っていることが分かる。
　
　
＜3＞対比　
　　本願発明と引用例1に記載された発明を対比すると、引用例1記載の発明の「鶏卵類包装容器」「椀形凹陥部」「角錐台筒部」は、本願発明の「鶏卵収納トレー」「鶏卵収納凹部」「台形突部」に相当し、また、引用例の図1に記載されている長方形の鶏卵包装容器の上横辺と右縦辺に沿って並んでいる半分の椀形凹陥部2（記載ｃ）は、本願発明の「隣接する２つの側縁部でその側縁全長にわたって各収納凹部(1)の半ピッチ分の凹凸部」に相当するということができる。　
　さらに、引用例1記載の発明において、図面を参照すれば、隣接する椀形凹陥部間には、名称は付されていないものの、本願発明の「隔壁」に相当する壁が形成され、該隔壁の交差部分に「角錐台筒部」（本願発明の「台形突部」に相当）が形成されている（記載ｂ、ｃ）。　
　そうすると、両者は、　
「平面視四角形に成形され、且つ隔壁によって個々に区分けされた状態で複数列にわたって整列配置された多数の鶏卵収納凹部と、この鶏卵収納凹部を区分けする隔壁の交差部分に形成された台形凸部とを備え、隣接する２つの側縁部でその側縁全長にわたって各収納凹部(1)の半ピッチ分の凹凸部が設けられた鶏卵収納トレー」、　
で一致するが、次の点で、相違する。　
＜相違点1＞　
　本願発明の鶏卵収納トレーの材料が「セラミックス系抗菌剤を練り込んだポリエチレンテレフタレート樹脂シート」であるのに対し、引用例1記載の発明においては、「パルプモールド抄製紙」である。　
＜相違点2＞　
　本願発明が、「鶏卵収納凹部の底面を下段トレーの台形凸部の上面に載せることによって鶏卵を収納した状態で複数段に積み重ねて使用することのできるように形成されている」ものであるのに対し、引用例1記載の発明においては、特に明示されていない。
　
＜4＞当審の判断　
＜相違点1について＞　
　ところで、鶏卵用容器の材料が抗菌性樹脂フィルムである点は、引用例2に記載されている（記載ｄ）。　
　さらに、引用例3には、食品包装用の抗菌性フィルムとして、加工食品用の簡易包装袋ではあるがポリエステル樹脂にセラミックス系抗菌剤が配合された、もしくは添着材により塗着されたものが記載され、また、ポリエステル樹脂製ではないがセラミックス系抗菌剤が配合された抗菌性フィルムを生卵等の包装パックに用いる点が、記載されている（記載ｅ，ｆ）。　
　そうしてみると、引用例1記載の発明の鶏卵収納トレーを引用例2記載の発明のように抗菌性樹脂フィルムとし、その際、抗菌性樹脂フィルムとして引用例3記載の発明のようにセラミックス系抗菌剤を配合したポリエチレンテレフタレート樹脂シートを採用し、配合は練りこんで行い、相違点1の構成にしたことは当業者が容易になし得ることである。　
＜相違点2について＞　
　ところで、上記一致点の構成により「鶏卵収納凹部の底面を下段トレーの台形凸部の上面に載せることによって鶏卵を収納した状態で複数段に積み重ねて使用することのできる」点は、引用例4（記載ｇ〜ｉ）または引用例5（記載ｊ〜ｌ）に記載されているように本出願前の当該技術分野における周知技術である。　
　そうしてみると、引用例1記載の発明の上記一致点の構成に加え、「鶏卵収納凹部の底面を下段トレーの台形凸部の上面に載せることによって鶏卵を収納した状態で複数段に積み重ねて使用することのできるように形成されている」ものにしたことは、当業者が容易になし得ることである。　
　
　したがって、引用例1ないし3記載の発明、および上記周知技術から本願発明を構成したことは、当業者が容易に想到しうるものである。また、本願発明の作用・効果もこれらのものから容易に予測できるものである。　
　
＜5＞むすび　
　以上、検討したように、本願請求項1に係る発明は、引用した刊行物に記載された発明および周知技術に基づいて 当業者が容易に発明をすることができたものであるということができるから、特許法第29条第2項の規定により特許を受けることができない。　
　よって、結論のとおり審決する。